(57)【要約】      （修正有）【課題】更なるデザイン性の向上を図ることができる天井扇風機を提供する。【解決手段】天井に係合可能な支柱部２と、この支柱部２の下部に備えたモータ部３と、このモータ部に３より回転する羽根部４と、モータ部３の回転を制御する制御部５と、モータ部３と制御部５の少なくとも一部を覆うケース部７と、放電生成物発生手段６とから構成し、放電生成物発生手段６は、羽根部４より上方のケース部７内に設け、放電生成物発生手段６は、ケース部７の側面に設けた開口部２０によってケース部７外と連通するので、ケース部７内に放電生成物発生手段６を設け、更なるデザイン性の向上を図ることができる。【選択図】図２
2015187426.tif 000002
【特許請求の範囲】
【請求項１】
天井に係合可能な支柱部と、この支柱部の下部に備えたモータ部と、このモータ部により回転する羽根部と、前記モータ部の回転を制御する制御部と、前記モータ部と前記制御部の少なくとも一部を覆うケース部と、放電生成物発生手段とから構成し、前記放電生成物発生手段は、前記羽根部より上方の前記ケース部内に設け、前記放電生成物発生手段は、前記ケース部の側面に設けた開口部によってケース部外と連通することを特徴とする天井扇風機。
【請求項２】
前記放電生成物発生手段と開口部との間には、水平方向にのびた連通部を備え、この連通部の上面に孔である上面孔部を設けたことを特徴とする請求項１に記載の天井扇風機。
【請求項３】
前記放電生成物発生手段は、針状の放電電極と、前記放電電極に対向して配置された対向電極とを有し、前記放電電極を冷却する冷却部として配置したペルチェ素子と、前記対向電極と前記放電電極間に電圧を印加する高電圧発生部とからなり、前記放電電極は下方に伸びた構成であることを特徴とする請求項２に記載の天井扇風機。
【請求項４】
前記制御部によって、前記羽根部は、下方から見て時計方向と反時計方向に回転することを特徴とする請求項１から３のいずれかに記載の天井扇風機。
【発明の詳細な説明】
【技術分野】
【０００１】
本発明は、放電生成物発生手段を備えた天井扇風機に関するものである。
【背景技術】
【０００２】
従来、この種の天井扇風機は、天井に係合可能な支柱部と、この支柱部の下部に備えたモータ部と、このモータ部により回転する羽根部と、前記モータ部の回転を制御する制御部と、前記モータ部と前記制御部の少なくとも一部を覆うケース部と、放電生成物発生手段とから構成し、前記放電生成物発生手段は、前記ケース部の上部に設けた筒内に設けた構成したものである（例えば、特許文献１参照）。
【先行技術文献】
【特許文献】
【０００３】
【特許文献１】特開２００７−１９６１４４号公報
【発明の概要】
【発明が解決しようとする課題】
【０００４】
上記従来例における課題は、更なるデザイン性の向上ということであった。
【０００５】
すなわち、従来の物においては、放電生成物発生手段は、羽根部上方のケース部の外に設置されていたため、放電生成物発生手段が目立つものであった。
【０００６】
そこで、本発明は、更なるデザイン性の向上を目的とするものである。
【課題を解決するための手段】
【０００７】
そして、この目的を達成するために、天井に係合可能な支柱部と、この支柱部の下部に備えたモータ部と、このモータ部により回転する羽根部と、前記モータ部の回転を制御する制御部と、前記モータ部と前記制御部の少なくとも一部を覆うケース部と、放電生成物発生手段とから構成し、前記放電生成物発生手段は、前記羽根部より上方の前記ケース部内に設け、前記放電生成物発生手段は、前記ケース部の側面に設けた開口部によってケース部外と連通することを特徴とするものであり、これにより所期の目的を達成するものである。
【発明の効果】
【０００８】
以上のように本発明は、天井に係合可能な支柱部と、この支柱部の下部に備えたモータ部と、このモータ部により回転する羽根部と、前記モータ部の回転を制御する制御部と、前記モータ部と前記制御部の少なくとも一部を覆うケース部と、放電生成物発生手段とから構成し、前記放電生成物発生手段は、前記羽根部より上方の前記ケース部内に設け、前記放電生成物発生手段は、前記ケース部の側面に設けた開口部によってケース部外と連通することを特徴とするものである。
【０００９】
すなわち、ケース部内に放電生成物発生手段を設け、更なるデザイン性の向上が図れる。
【図面の簡単な説明】
【００１０】
【図１】本発明の実施の形態１の天井扇風機の外観正面図
【図２】同天井扇風機の断面図
【図３】同天井扇風機のケース部内斜視図
【図４】同天井扇風機のケース部外斜視図
【図５】同天井扇風機の放電生成物発生部を示す図
【発明を実施するための形態】
【００１１】
以下、本発明の実施の形態について図面を参照しながら説明する。
【００１２】
（実施の形態１）
図１、２、３、４に示すように、天井扇風機１は、支柱部２と、モータ部３と、羽根部４と、制御部５と、放電生成物発生手段６と、ケース部７と、下カバー部８とを有している。
【００１３】
支柱部２は、中空の棒形状で、上部には、天井に係合可能な吊下部９を有し、下部にはモータ部３が固定されている。
【００１４】
モータ部３は、アウターロータモーターで、固定子鉄心１０と、固定子巻線１１と、磁石１２と、回転子１３とから構成している。回転子１３は、モータ部３に回転自在に設けられている。すなわち、モータ部３が駆動すると、回転子１３が回転する。
【００１５】
羽根部４は、略長四角平板形状の羽根部分４ａと、この羽根部分４ａの根元側に、羽根固定部分４ｂを備えている。この羽根固定部分４ｂが、回転子１３に固定される。
【００１６】
制御部５は、図２に示すように、モータ部３の上部に設けられ、制御基板保持部１４と、制御ケース部１５と、この制御ケース部１５内に設けられた制御基板部１６とから構成されている。
【００１７】
制御基板部１６は、モータ部３、放電生成物発生手段６、および天井裏からのびる電源電線（図示せず）と電気的に接続している。制御基板部１６によって、モータ部３と、放電生成物発生手段６とを制御するものである。
【００１８】
ケース部７は、側面が円筒形状で、この側面に四角形の開口である開口部２０を備えている。
【００１９】
下カバー部８は、略椀形状で、羽根固定部分４ｂの下方を覆うものである。
【００２０】
放電生成物発生手段６は、ケース部７内のモータ部３の上方に設けられ、放電生成物発生部１７と、放電生成物発生手段制御部１８と、連通部１９とから構成される。
【００２１】
放電生成物発生部１７は、針状の放電電極２１と、放電電極２１に対向して配置された対向電極２２とを有し、放電電極２１を冷却する冷却部として配置したペルチェ素子２３とからなる。
【００２２】
放電生成物発生手段制御部１８は、対向電極２２と放電電極２１間に高電圧（この実施形態では−５ＫＶ）を印加し、ペルチェ素子２３には０．７５Ｖ〜２．８Ｖ程度の電圧を印加する。この実施形態では、放電電極２１側を低温にする。この放電電極２１部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００２３】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。なお、放電生成物発生手段６は、上記の帯電微粒子水に限らず、除菌や脱臭を行なう放電生成物を発生させるものであればよい。
【００２４】
本実施形態における特徴は、放電生成物発生手段６は、羽根部４より上方のケース部７内に設け、放電生成物発生手段６は、ケース部７の側面に設けた開口部２０によってケース部７外と連通する点である。
【００２５】
具体的には、羽根部４を下方から見て、時計方向に回転する場合には、羽根部分４ａが傾斜しているので、天井から床方向へ流れる気流が発生する。この気流によって、羽根部４上方にあるケース部７の開口部２０付近の側面には、ケース部７の側面に沿うように、下方へ流れる誘引気流が発生する。この誘引気流によって、ケース部７の開口部２０を介して連通部１９内の空気が、ケース部７外に誘引される。なお、開口部２０の上方のケース部７と、開口部２０の下方のケース部７とは、同一面で形成しているので、ケース部７の側面に沿うように、下方へ流れる誘引気流が流れ易く、ケース部７の開口部２０を介して連通部１９内の空気が、ケース部７外に誘引され易いものである。
【００２６】
このような構成とすることで、放電生成物発生手段６で発生した放電生成物は、連通部１９をとおってケース部７の開口部２０からケース部７外へと放出される。
【００２７】
すなわち、放電生成物発生部１７がケース部外に露出することがないため、デザイン性の向上を図ることができる。
【００２８】
また、放電生成物発生手段６と開口部２０との間には、開口部２０から水平方向に伸びた連通部１９を備え、この連通部１９の最も奥側の上面に孔である上面孔部２４を備えている。この上面孔部の上方に放電生成物発生手段６の放電電極２１が位置するものである。
【００２９】
すなわち、放電生成物は、放電生成物発生手段６の放電電極２１から生成され、放電電極２１の直下に設けられた上面孔部から連通部１９を通り、連通部１９と連通された、ケース部７の側面の開口部２０からケース部７外に放出される。
【００３０】
このような構成とすることで、外部空間から埃が進入した場合にでも、埃が放電生成物発生手段６の放電電極２１に到達するのを防ぎ、放電生成物発生手段６からの安定した放電を得ることができる。
【００３１】
また、放電電極２１は下方に伸びた構成である。このような構成にすることで、ケース部７内の放電生成物発生手段６上方空間からの埃の付着を抑制することができ、放電生成物発生手段６からの安定した放電を得ることができる。
【００３２】
また、羽根部４は、下方から見て時計方向と反時計方向の両方に回転する構成である。
【００３３】
ケース部７の側面の開口部２０が、羽根部４の上方に設けられた場合において、開口部２０から放出された放電生成物は、以下のように空間全体に拡散される。
【００３４】
まず、羽根部４が下方から見て、時計方向に回転する場合には、羽根部４が回転することにより発生する下方へ流れる誘引気流により、羽根部４上方にあるケース部７の側面の開口部２０から羽根部４下方に誘引され、羽根部４の回転による風により空間全体に拡散される。
【００３５】
次に、羽根部４が下方から見て、反時計方向に回転する場合には、羽根部４が回転することにより発生する上方へ流れる誘引気流により、羽根部４上方にあるケース部７の側面の開口部２０から羽根部４上方に誘引され、羽根部４の回転による風により空間全体に拡散される。
【００３６】
仮に、開口部２０を羽根部４の下方に設けた場合には、羽根部４が下方から見て反時計方向に回転すると、放電生成物は帯電微粒子水であるため、開口部２０を羽根部４の上方に設けた場合比べ、羽根部４によって上方に誘引され、空間全体に拡散されにくくなると考えられる。すなわち、放電生成物は、重力によって下方へは動き易いと考えられる。ここで、下方から見て反時計方向に回転する羽根部４において、開口部２０を羽根部４の下方に設けた場合には、開口部２０を羽根部４の上方に設けた場合に比べて、上方への移動距離が長くなる。そのため、空間全体に拡散されにくくなると考えられる。
【００３７】
一方、開口部２０を羽根部４の上方に設けた場合には、どちらの回転で羽根が回転した場合でも、ケース部７の側面の開口部２０から放出された放電生成物を空間全体に拡散させることができる。
【産業上の利用可能性】
【００３８】
以上のように本発明は、天井に係合可能な支柱部と、この支柱部の下部に備えたモータ部と、このモータ部により回転する羽根部と、前記モータ部の回転を制御する制御部と、前記モータ部と前記制御部の少なくとも一部を覆うケース部と、放電生成物発生手段とから構成し、前記放電生成物発生手段は、前記羽根部より上方の前記ケース部内に設け、前記放電生成物発生手段は、前記ケース部の側面に設けた開口部によってケース部外と連通することを特徴とするものである。すなわち、ケース部内に放電生成物発生手段を設け、更なるデザイン性の向上が図れる。
したがって、家庭用や事務所用などの、天井扇風機としての活躍が期待されるものである。
【符号の説明】
【００３９】
１      天井扇風機
２      支柱部
３      モータ部
４      羽根部
４ａ    羽根部分
４ｂ    羽根固定部分
５      制御部
６      放電生成物発生手段
７      ケース部
８      下カバー部
９      吊下部
１０      固定子鉄心
１１      固定子巻線
１２      磁石
１３      回転子
１４      制御基板保持部
１５      制御ケース部
１６      制御基板部
１７      放電生成物発生部
１８      放電生成物発生手段制御部
１９      連通部
２０      開口部
２１      放電電極
２２      対向電極
２３      ペルチェ素子
２４      上面孔部
【図１】
2015187426.tif 000003
【図２】
2015187426.tif 000004
【図３】
2015187426.tif 000005
【図４】
2015187426.tif 000006
【図５】
2015187426.tif 000007